(57)【要約】【課題】  スイッチ全体の薄型化および小型化を図り、且つ磁気センサが外部磁界の影響を受けずに、回転する磁石の磁界を感度良く正確に検出することができる回転スイッチを提供する。【解決手段】  回転操作可能な操作部材である巻真１２と、この巻真１２と一体的に回転する磁石部材１４と、この磁石部材１４に対向して配置された磁気センサ１５と、この磁気センサ１５の周囲を囲む耐磁板２７とを備えた。従って、耐磁板２７によって外部磁界を吸収することができるので、磁気センサ１５の感度を高めるために、磁石部材１４を大きく形成する必要がない。このため、耐磁板２７を設けても、時計全体が厚くならず、時計全体の薄型化および小型化を図ることができると共に、磁気センサ１５が外部磁界の影響を受けることがないので、巻真１２と共に回転する磁石部材１４の磁界を磁気センサ１５によって感度良く正確に検出することができる。【選択図】        図１
2010287325.tif 000002
【特許請求の範囲】
【請求項１】
回転操作可能な操作部材と、
この操作部材と一体的に回転する磁石と、
この磁石に対向して配置された磁気センサと、
この磁気センサの周囲を囲む耐磁板と
を備えていることを特徴とする回転スイッチ。
【請求項２】
前記耐磁板は、前記磁気センサの全周囲を囲う形状に形成されていることを特徴とする請求項１に記載の回転スイッチ。
【請求項３】
前記耐磁板は、前記磁気センサの全周囲のうち、一部を除いて、前記磁気センサの周囲を囲う形状に形成されていることを特徴とする請求項１に記載の回転スイッチ。
【請求項４】
前記耐磁板には、前記磁気センサの厚み方向の一部が挿入する開口部が設けられていることを特徴とする請求項１〜請求項３のいずれかに記載の回転スイッチ。
【発明の詳細な説明】
【技術分野】
【０００１】
この発明は、電子腕時計などの電子機器に用いられる回転スイッチに関する。
【背景技術】
【０００２】
例えば、電子腕時計においては、時刻を修正する際に、巻真を所定位置に引き出して回転させることにより、巻真の回転に応じて指針を運針させるように構成されている。このような電子腕時計の時刻修正装置としては、特許文献１に記載されているように、腕時計ケースに巻真をその軸方向における第１の位置と第２の位置とに移動可能に設けると共に巻真の軸を中心とする回転方向にも回転可能に設け、この巻真に磁石を設け、この磁石の円周方向に位置する腕時計ケース内に磁気センサを設けた構成のものが知られている。
【先行技術文献】
【特許文献】
【０００３】
【特許文献１】特開２００８−１２２３７７号公報
【０００４】
この種の電子腕時計では、巻真を押し込んだ第１の位置状態のときに、巻真に設けられた磁石が磁気センサから離れ、また巻真を引き出した第２の位置状態のときに、巻真と共に磁石が移動して磁気センサに対応し、この状態で巻真を回転させると、磁石が巻真と共に回転し、この回転する磁石の磁界を磁気センサが検出し、この磁気センサで検出された検出データに基づいて指針を運針させることにより、時刻を修正している。
【発明の概要】
【発明が解決しようとする課題】
【０００５】
しかしながら、このような従来の電子腕時計においては、巻真を引き出した第２の位置状態のときに、巻真と共に磁石が移動して磁気センサに対応した際に、磁気センサが巻真の磁石に接近して配置されるだけの構造であるからか、磁気センサが腕時計ケースの外部から磁界の影響を受け易く、誤動作する虞がある。
【０００６】
また、このような従来の電子腕時計では、磁気センサの感度を高めるために、磁石を大きく形成することが考えられているが、磁石を大きく形成すると、装置全体の厚みが厚くなるため、装置全体が大型化するという問題が生じる。
【０００７】
この発明が解決しようとする課題は、スイッチ全体の薄型化および小型化を図り、且つ磁気センサが外部磁界の影響を受けずに、回転する磁石の磁界を感度良く正確に検出することができる回転スイッチを提供することである。
【課題を解決するための手段】
【０００８】
この発明は、上記課題を解決するために、次のような構成要素を備えている。
請求項１に記載の発明は、回転操作可能な操作部材と、この操作部材と一体的に回転する磁石と、この磁石に対向して配置された磁気センサと、この磁気センサの周囲を囲む耐磁板とを備えていることを特徴とする回転スイッチである。
【０００９】
請求項２に記載の発明は、前記耐磁板が、前記磁気センサの全周囲を囲う形状に形成されていることを特徴とする請求項１に記載の回転スイッチである。
【００１０】
請求項３に記載の発明は、前記耐磁板が、前記磁気センサの全周囲のうち、一部を除いて、前記磁気センサの周囲を囲う形状に形成されていることを特徴とする請求項１に記載の回転スイッチである。
【００１１】
請求項４に記載の発明は、前記耐磁板に、前記磁気センサの厚み方向の一部が挿入する開口部が設けられていることを特徴とする請求項１〜請求項３のいずれかに記載の回転スイッチである。
【発明の効果】
【００１２】
この発明によれば、磁気センサの周囲を囲う耐磁板によって外部磁界を吸収することができるので、磁気センサの感度を高めるために磁石部材を大きく形成する必要がない。このため、磁気センサの周囲を囲う耐磁板を設けても、スイッチ全体の薄型化および小型化を図ることができると共に、耐磁板によって磁気センサが外部磁界の影響を受けることがないので、操作部材と共に回転する磁石の磁界を磁気センサによって感度良く正確に検出することができる。
【図面の簡単な説明】
【００１３】
【図１】この発明を電子腕時計に適用した一実施形態を示した要部の拡大断面図である。
【図２】図１の電子腕時計における時計モジュールの要部を示した拡大裏面図である。
【図３】図２の時計モジュールにおいて回路基板を取り外した状態を示した要部の拡大裏面図である。
【図４】図２のＡ−Ａ矢視における拡大断面図である。
【図５】図３の状態で巻真を第２の位置に引き出した状態を示した要部の拡大裏面図である。
【図６】図５のＢ−Ｂ矢視における拡大断面図である。
【図７】図３のＣ−Ｃ矢視における拡大断面図である。
【図８】図３のＤ−Ｄ矢視における拡大断面図である。
【図９】図３において地板にオシドリを配置した状態を示した要部の拡大裏面図である。
【図１０】図９においてオシドリばねを更に配置した状態を示した要部の拡大裏面図である。
【図１１】図１０においてスイッチ板を更に配置した状態を示した要部の拡大裏面図である。
【図１２】図１１のスイッチ板およびこれに対応する箇所の回路基板を示し、（ａ）は図１１のＥ−Ｅ矢視における要部の拡大断面図、（ｂ）はその回路基板の接点部を示した図である。
【図１３】図３の磁石部材を示し、（ａ）は図３においてオシドリおよび磁石押え部を取り除いて磁石部材を示した要部の拡大裏面図、（ｂ）はそのＦ−Ｆ矢視における要部の拡大断面図である。
【図１４】図２の磁気センサおよび耐磁板を示し、（ａ）はその拡大裏面図、（ｂ）はその拡大側面図、（ｃ）は（ａ）のＧ−Ｇ矢視における拡大断面図、（ｄ）は（ｃ）の耐磁板を示した拡大断面図である。
【図１５】一実施形態における耐磁板の変形例を示した拡大裏面図である。
【発明を実施するための形態】
【００１４】
以下、図１〜図１４参照して、この発明を指針式の電子腕時計に適用した一実施形態について説明する。
この電子腕時計は、図１に示すように、腕時計ケース１を備えている。この腕時計ケース１の上部開口部には、時計ガラス２がパッキン２ａを介して取り付けられており、この腕時計ケース１の下部には、裏蓋３が防水リング３ａを介して取り付けられている。
【００１５】
また、この腕時計ケース１の内部には、図１に示すように、時計モジュール４が中枠５によって設けられている。この時計モジュール４は、図１および図２に示すように、指針を運針する時計ムーブメント（図示せず）と、時刻を修正するための時刻修正装置６とを備えている。この場合、時計モジュール４の上面には、文字板７が設けられており、この文字板７の上面には、リング状の見切部材８が設けられている。
【００１６】
時刻修正装置６は、図１に示すように、腕時計ケース１の側壁部に回転可能に挿入されて外部に突出する竜頭１０と、この竜頭１０に取り付けられて時計モジュール４内の地板１１に軸方向に移動操作可能で且つその軸を中心とする回転方向にも回転操作可能に設けられた巻真１２と、この巻真１２の軸方向における移動位置を規制する位置規制部材１３と、巻真１２にスライド可能に設けられて巻真１２と共に回転する磁石部材１４と、この磁石部材１４の円周方向に位置して磁石部材１４の回転を検出する磁気センサ１５とを備えている。
【００１７】
この場合、巻真１２は、図１に示すように、ほぼ丸棒状に形成され、その一端部（図１では右端部）に竜頭１０が取り付けられ、腕時計ケース１の側壁部に設けられた貫通孔１ａに外側から挿入されている。また、この巻真１２は、図１に示すように、その他端部（図１では左端部）が地板１１に軸方向に移動操作可能で、且つその軸を中心とする回転方向にも回転操作可能に取り付けられている。これにより、巻真１２は、腕時計ケース１の外部に位置する竜頭１０を引き出し方向に操作すると、これに伴って軸方向に移動し、また竜頭１０を回転方向に操作すると、軸回りに回転するように構成されている。
【００１８】
また、この巻真１２は、図３〜図６に示すように、そのほぼ中間部に小径の段差凹部１２ａが環状に設けられており、この段差凹部１２ａにおける時計モジュール１の内部側に位置する先端側（図４では左端側）には、図４および図６に示すように、後述する磁石部材１４をスライド可能に取り付けるための、断面形状が四角形状の角棒状に形成された係合軸部１６が設けられている。
【００１９】
さらに、この巻真１２の内部側に位置する係合軸部１６の先端部(図４では左端部)には、図４および図６に示すように、小径の軸部１２ｂが設けられている。この軸部１２ｂは、丸棒状に形成され、地板１１に設けられたガイド穴１１ａ内に軸方向に移動可能で且つその軸を中心に回転可能な状態で挿入されている。これにより、巻真１２は、図４に示すように、軸方向（矢印Ｘ方向）に押し込まれた第１の位置と、図６に示すように、軸方向（矢印Ｙ方向）に引き出された第２の位置とに移動するように構成されている。
【００２０】
位置規制部材１３は、図３〜図１１に示すように、オシドリ２０、オシドリばね２１、スイッチ板２２、および押え板２３を備えている。オシドリ２０は、図３および図９に示すように、平板状に形成され、地板１１に設けられた支持軸１７に回動可能に取り付けられ、巻真１２の軸方向への移動に応じて支持軸１７を中心に回動するように構成されている。
【００２１】
すなわち、オシドリ２０には、図９〜図１１に示すように、巻真１２の段差凹部１２ａ内に配置される連動アーム部２０ａと、オシドリばね２１によって弾力的に位置規制される連動ピン２０ｂと、スイッチ板２２をオシドリ２０と共に回動させる連結ピン２０ｃとが設けられている。これにより、オシドリ２０は、図３および図５に示すように、巻真１２が軸方向に移動すると、巻真１２の段差凹部１２ａの移動に伴って連動アーム部２０ａが揺動することにより、支持軸１７を中心に回動するように構成されている。
【００２２】
オシドリばね２１は、図７および図１０に示すように、板ばねであり、オシドリ２０の近傍に位置する箇所の地板１１に固定され、オシドリ２０の連動ピン２０ｂを弾力的に保持して位置規制することにより、オシドリ２０の回動位置を規制して巻真１２の軸方向の移動位置を規制するように構成されている。すなわち、このオシドリばね２１は、図１０に示すように、その先端部にオシドリ２０の連動ピン２０ｂを弾力的に保持する位置規制部２４が設けられている。
【００２３】
この位置規制部２４には、図１０に示すように、連動ピン２０ｂを弾力的に係止する複数の係止凹部２４ａ、２４ｂが設けられている。これにより、オシドリばね２１は、図４に示すように、巻真１２が押し込まれた第１の位置状態のときに、図１０に示すように、オシドリ２０の連動ピン２０ｂを位置規制部２４の一方の係止凹部２４ａで弾力的に係止することにより、巻真１２を第１の位置に規制するように構成されている。
【００２４】
また、このオシドリばね２１は、図６に示すように、巻真１２が軸方向に引き出された第２の位置に移動するときに、図５に示すように、オシドリ２０が支持軸１７を中心に回動し、これに伴って連動ピン２０ｂが回転移動して位置規制部２４を弾性変形させ、この弾性変形した位置規制部２４の他方の係止凹部２４ｂがオシドリ２０の連動ピン２０ｂを弾力的に係止することにより、巻真１２を第２の位置に規制するように構成されている。
【００２５】
スイッチ板２２は、図１１および図１２に示すように、金属板からなり、オシドリ２０と共に地板１１の支持軸１７に回転可能に取り付けられている。このスイッチ板２２には、図１２(ａ)に示すように、後述する回路基板２５の上面に接触して摺動する接触ばね部２２ａが、図１１に示すように、オシドリ２０の連動アーム部２０ａと反対側に向けて延設されている。このスイッチ板２２の所定箇所には、図１１に示すように、オシドリ２０の連結ピン２０ｃが挿入する挿入孔２２ｂが設けられている。
【００２６】
これにより、スイッチ板２２は、図１２（ａ）に示すように、接触ばね部２２ａの先端部が回路基板２５の上面に接触した状態で、支持軸１７を中心にオシドリ２０と共に回転移動し、この接触ばね部２２ａの先端部が回路基板２５の上面に設けられた接点部２５ａ、２５ｂに対する接触位置を切り替えるように構成されている。押え板２３は、図３、図５および図８に示すように、オシドリばね２１と共に地板１１にねじ２３ａによって取り付けられて、オシドリばね２１およびスイッチ板２２を押え付けることにより、オシドリ２０を地板１１に押し付けるように構成されている。
【００２７】
ところで、巻真１２にスライド可能に設けられた磁石部材１４は、図１３（ａ）および図１３（ｂ）に示すように、リング状の磁石１８と、この磁石１８を包む樹脂部１９とからなり、全体がほぼ円形板状に形成され、その中心部に巻真１２の係合軸部１５が挿入する断面四角形状の係合孔１８ａが設けられ、図４および図６に示すように、外周面の一部が地板１１に設けられた磁石押え部２６によって押え付けられた構成になっている。
【００２８】
これにより、磁石部材１４は、図４および図６に示すように、その係合孔１８ａに巻真１２の係合軸部１６がスライド可能に挿入し、この状態で巻真１２が軸方向に移動しても、磁石押え部２６によって押えられていることにより、巻真１２に対し相対的に移動して常に一定の位置に保持され、この状態で巻真１２と共に回転するように構成されている。
【００２９】
すなわち、この磁石部材１４は、図３に示すように、巻真１２が押し込まれた第１の位置状態のときに、図４に示すように、巻真１２の内部側に位置する係合軸部１６の外側の端部側（図４では右側）に位置し、図５に示すように、巻真１２が引き出された第２の位置状態のときに、図６に示すように、巻真１２の内部側に位置する係合軸部１６の内側の先端部側（図６では左側）に位置するように構成されている。
【００３０】
一方、磁気センサ１５は、図１、図４および図６に示すように、地板１１の裏面（図４では下面）に設けられた回路基板２５の下面における磁石部材１４と対応する箇所に設けられている。これにより、磁気センサ１５は、回路基板２５を間に挟んで磁石部材１４と対応している。この磁気センサ１５は、２つの磁気検出素子、例えば２つの磁気抵抗素子１５ａ、１５ｂ（ＭＲ素子：Magneto Resistance 素子）と、出力をデジタル化するＩＣとを１パッケージに収めたもので、２つの磁気抵抗素子１５ａ、１５ｂで磁石部材１４の回転に伴う磁界の変化を検出して、高い（ハイ：Ｈ）、低い（ロウ：Ｌ）の２種類の検出信号を出力するように構成されている。
【００３１】
すなわち、この磁気センサ１５は、２つの磁気抵抗素子１５ａ、１５ｂの設置位置が異なっていることにより、磁石部材１４の回転に伴う磁界の変化を検出する際、出力に位相差が生じ、この位相差によって２種類の検出信号を出力することにより、磁石部材１４の回転を検出するように構成されている。この場合、２種類の検出信号は、回路基板２５に設けられたマイコンで解析されて、磁石部材１４の回転角度を算出する。
【００３２】
また、この磁気センサ１５は、磁石部材１４の回転方向（正回転であるか逆回転であるか）を検出すると共に、磁石部材１４の正回転または逆回転が連続しているか否かをも検出する。これにより、磁気センサ１５で検出された回転方向の検出信号により、指針を正方向（時計回り）または逆方向（反時計回り）に回転させると共に、磁気センサ１５で検出された磁石部材１４の回転が連続しているか否かの検出信号により、回転が連続している場合に、指針を早送りで正方向（時計回り）または逆方向（反時計回り）に回転させる。
【００３３】
この場合、磁気センサ１５の周囲には、図１および図１４に示すように、耐磁板２７が配置されている。この耐磁板２７は、磁性を有する材料、例えば低炭素鋼（ＳＰＣＣ）からなり、図１４（ａ）〜図１４（ｄ）に示すように、全体が枠状のほぼ平板に形成され、その両側部に取付部２７ａが斜め上側に向けてそれぞれ折り曲げられて、この折り曲げられた各取付部２７ａが回路基板２５の下面に半田２８によって取り付けられている。
【００３４】
この場合、耐磁板２７には、図１４（ｃ）に示すように、磁気センサ１５の下部が下側に突出することなく挿入する開口部２７ｂが設けられている。これにより、耐磁板２７は、図１４（ｃ）に示すように、回路基板２５の下面に設けられた磁気センサ１５の周囲を囲うように構成されている。また、この耐磁板２７は、その取付部２７ａが回路基板２５の下面に半田２８によって取り付けられていることにより、回路基板２５のグランド（基準電位）に接続されている。
【００３５】
また、回路基板２５には、集積回路素子（ＩＣ、ＬＳＩ）などの時計機能に必要な各種の電子部品(図示せず)が設けられていると共に、回路基板２５の上下面には、銅箔などの金属からなる配線パターン（図示せず）が設けられている。この場合、磁気センサ１５と磁石部材１４との間に位置する箇所の回路基板２５には、配線パターン（図示せず）が設けられていない。
【００３６】
次に、この電子腕時計の作用について説明する。
まず、巻真１２を軸方向に押し込んで第１の位置に移動させると、図３および図４に示すように、巻真１２の段差凹部１２ａが時計モジュール４の内部側（図４では左側）に移動し、巻真１２の係合軸部１６が図４に示す矢印Ｘ方向に押し込まれる。この状態では、磁石部材１４が磁石押え部２６で押えられているので、巻真１２が押し込まれても、磁石部材１４は巻真１２と共に移動せず、巻真１２の係合軸部１６における外側の端部側（図４では右側）に位置して、磁気センサ１５に対応する。
【００３７】
また、このときには、巻真１２の段差凹部１２ａが時計モジュール４の内部側に移動するので、図９に示すように、オシドリ２０の連動アーム部２０ａが時計モジュール４の内部側（図９では右側）に向けて移動し、オシドリ２０が支持軸１７を中心に時計回りに回動する。これに伴って、図３および図１０に示すように、連動ピン２０ａがオシドリばね２１に設けられた位置規制部２４の一方の係止凹部２４ａに弾力的に保持される。これにより、巻真１２が押し込まれた第１の位置に規制される。
【００３８】
また、このときには、スイッチ板２２がオシドリ２０の連結ピン２０ｃによってオシドリ２０と連結されているので、図１１に示すように、スイッチ板２２が支持軸１７を中心にオシドリ２０と共に時計回りに回動する。これにより、スイッチ板２２における接触ばね部２２ａの先端部が、図１２（ａ）に示すように、回路基板２５の上面に接触した状態で回転移動する。
【００３９】
これにより、接触ばね部２２ａが、図１２（ｂ）に示すように、回路基板２５の一方（図１２（ｂ）では左側）の接点部２５ａに移動して接触し、磁気センサ１５をオフ状態にする。このオフ状態では、磁気センサ１５による磁気検出が停止されるので、巻真１２を回して磁石部材１４が回転しても、磁気センサ１５が磁石部材１４の回転磁界を検出しない。
【００４０】
一方、巻真１２が軸方向に引き出されて第２の位置に移動すると、図５および図６に示すように、巻真１２の段差凹部１２ａが時計モジュール４の外側に向けて移動し、巻真１２の係合軸部１６が引出し方向(図６に矢印Ｙで示す右方向)に移動する。このときにも、磁石部材１４が磁石押え部２６で押えられているので、巻真１２が引出し方向に移動しても、磁石部材１４は巻真１２と共に移動せず、巻真１２の係合軸部１６における内側の先端部側（図６では左側）に位置する。
【００４１】
また、このときには、図６に示すように、巻真１２の段差凹部１２ａが時計モジュール４の外側（図６では右側）に向けて移動するので、オシドリ２０の連動アーム部２０ａが時計モジュール４の外側に向けて移動し、オシドリ２０が支持軸１７を中心に反時計回りに回動する。これに伴って、図５に示すように、連動ピン２０ａがオシドリばね２１に設けられた位置規制部２４の他方の係止凹部２４ｂに弾力的に保持される。これにより、巻真１２が引き出された第２の位置に規制される。
【００４２】
このときにも、スイッチ板２２がオシドリ２０の連結ピン２０ｃによってオシドリ２０と連結されているので、図５に示すように、スイッチ板２２が支持軸１７を中心にオシドリ２０と共に反時計回りに回動する。これにより、スイッチ板２２の接触ばね部２２ａの先端部が、図１２（ａ）に示すように、回路基板２５に接触した状態で上記とは逆方向に回転移動する。これにより、図１２（ｂ）に示すように、回路基板２５の他方（図１２（ｂ）では右側）の接点部２５ｂに移動して接触し、磁気センサ１５をオン状態にして、磁気センサ１５による磁気検出を可能な状態にする。
【００４３】
この状態で巻真１２を回転させると、磁石部材１４が巻真１２と共に回転して磁界が変化し、この回転による磁界の変化を磁気センサ１５が検出する。このときには、図１および図１４（ｃ）に示すように、磁気センサ１５の周囲が耐磁板２７によって囲われているので、磁気センサ１５が腕時計ケース１の外部からの磁界の影響を受けずに、磁気センサ１５が磁石部材１４の回転磁界のみを感度良く正確に検出して検出信号を出力する。
【００４４】
この磁気センサ１５で出力された検出信号は、回路基板２５のマイコンで解析されて、巻真１２の回転に応じて指針（図示せず）を運針させて時刻を修正する。このときには、磁気センサ１５が磁石部材１４の回転方向（正回転であるか逆回転であるか）をも検出し、指針を正方向（時計回り）または逆方向（反時計回り）に運針させて時刻を修正する。
【００４５】
このときに、磁石部材１４の正回転または逆回転が連続していることを磁気センサ１５が検出した場合には、指針を早送りで正方向（時計回り）または逆方向（反時計回り）に運針させて、速やかに時刻を修正する。また、巻真１２が引き出された第２の位置で、巻真１２が数十秒の間、回転操作されないときには、磁気センサ１５をオフ状態にして、電力の消費を防ぐ。
【００４６】
このように、この電子腕時計によれば、回転操作可能な操作部材である巻真１２と一体的に回転する磁石部材１４に対向して配置された磁気センサ１５の周囲を耐磁板２７で囲んでいるので、この耐磁板２７によって外部磁界を吸収することができる。このため、磁気センサ１５の感度を高めるために、磁石部材１４を大きく形成する必要がないので、耐磁板２７を設けても、腕時計全体が厚くならず、腕時計全体の薄型化および小型化を図ることができると共に、磁気センサ１５が外部磁界の影響を受けることがないので、巻真１２と共に回転する磁石部材１４の磁界を磁気センサ１５によって感度良く正確に検出することができる。
【００４７】
この場合、耐磁板２７は、その全体が枠状のほぼ平板に形成され、磁気センサ１５の全周囲を囲うように形成されているので、外部磁界が磁気センサ１５の全外周側から侵入するのを確実に防ぐことができる。このため、磁気センサ１５の感度を、より一層、高めて、巻真１２と共に回転する磁石部材１４の磁界を更に感度良く正確に検出することができる。また、耐磁板２７を、磁気センサ１５の下面（回路基板２５とは反対の面）全体を覆うような形状にすると、磁気センサ１５が検出すべき磁石部材１４の磁界も吸い込んでしまうので、磁石部材１４を大きくする必要があるが、耐磁板２７を、磁気センサ１５を囲む形状とすることにより、磁石部材１４を大きくする必要がなく、腕時計全体の薄型化および小型化を図ることができる。
【００４８】
また、耐磁板２７は、全体が枠状のほぼ平板に形成され、その中央部に磁気センサ１５の厚み方向における下部が下側に突出することなく挿入する開口部２７ｂが設けられているので、耐磁板２７で磁気センサ１５の周囲を囲んでも、耐磁板２７の開口部２７ｂに磁気センサ１５の下部を挿入させることができ、これにより耐磁板２７によって時計モジュール４の厚みが厚くなることがないため、より一層、腕時計全体の薄型化を図ることができると共に、腕時計全体の小型化をも図ることができる。
【００４９】
また、この磁気センサ１５は、その周囲が耐磁板２７によって囲われているので、時計ムーブメントに組み込まれたステッピングモータ（いずれも図示せず）が発生する磁界による影響をも確実に防ぐことができるので、より一層、磁気センサ１５で磁石部材１４の回転を感度良く正確に検出することができる。
【００５０】
また、この電子腕時計によれば、巻真１２の断面非円形の係合軸部１６が磁石部材１４の係合孔１８ａに係合しているので、巻真１２を軸方向に移動操作する際に、磁石部材１４を巻真１２に対して相対的に移動させることができ、これにより磁石部材１４を巻真１２の軸方向に対して常に一定の位置に保持することができる。
【００５１】
このため、巻真１２を軸方向に移動操作しても、巻真１２や磁石部材１４を破損せずに、常に磁石部材１４を磁気センサ１５に対応させることができるので、巻真１２を軸方向における複数の位置に移動させても、１つの磁気センサ１５で巻真１２の回転を正確に検出することができるほか、磁気センサ１５が磁石部材１４に対して非接触状態であるから、耐久性の高いものを提供することができる。
【００５２】
この場合、磁気センサ１５は、磁石部材１４の回転を検出して検出信号を出力し、この出力された検出信号が回路基板２５のマイコンで解析されて、巻真１２の回転に応じて指針（図示せず）を運針させて時刻を修正することができる。このときには、磁気センサ１５が磁石部材１４の回転方向（正回転であるか逆回転であるか）を検出するので、指針を正方向（時計回り）または逆方向（反時計回り）に回転させることができる。
【００５３】
また、このとき、磁石部材１４の正回転または逆回転が連続しているか否かを磁気センサ１５で検出することにより、回転が連続している場合に、指針を早送りで正方向（時計回り）または逆方向（反時計回り）に回転させて、速やかに時刻を修正することができる。
【００５４】
また、この電子腕時計では、巻真１２をその軸方向における第１の位置と第２の位置とに位置規制する位置規制部材１３を備えているので、巻真１２をその軸方向における第１の位置と第２の位置とに正確に且つ確実に位置規制することができる。すなわち、位置規制部材１３は、巻真１２の軸方向への移動に伴って回動するオシドリ２０と、このオシドリ２０の連動ピンを位置規制部２４の係止凹部２４ａ、２４ｂによって弾力的に保持するオシドリばね２１とを備えているので、オシドリばね２１の位置規制部２４によってオシドリ２０の回動位置を規制することができ、これにより巻真１２の軸方向における位置を確実に規制することができる。
【００５５】
また、巻真１２は、その軸方向に押し込まれた第１の位置と引き出された第２の位置とで、回路基板２５の接点部２５ａ、２５ｂを切り替える接点切替部材であるスイッチ板２２を備えているので、磁石部材１４が磁気センサ１５に常に対応していても、スイッチ板２２で回路基板２５の接点部２５ａ、２５ｂを切り替えることにより、磁気センサ１５をオン状態とオフ状態とに切り替えることができる。
【００５６】
すなわち、スイッチ板２２は、巻真１２の軸方向への移動に伴って回動するオシドリ２０と共に回転して、接触ばね部２２ａが回路基板２５の接点部２５ａ、２５ｂを切り替えることができるので、巻真１２が押し込まれた第１の位置のときに、接触ばね部２２ａが一方の接点部２５ａに接触して、磁気センサ１５をオフ状態にし、また巻真１２が引き出された第２の位置のときに、接触ばね部２２ａが他方の接点部２５ｂに接触して、磁気センサ１５をオン状態にすることができる。
【００５７】
このため、巻真１２が押し込まれた第１の位置のときには、磁気センサ１５がオフ状態であるから、磁気センサ１５に対する待機電流を防ぐことができると共に、この状態で巻真１２を回転させて磁石部材１４を回転させても、磁気センサ１５によって磁石部材１４の回転を検出することがないので、磁気センサ１５による消費電力を低減することができる。
【００５８】
また、巻真１２が引き出された第２の位置のときには、磁気センサ１５がオン状態になるので、巻真１２を回転させて磁石部材１４を回転させると、磁気センサ１５で磁石部材１４の回転を検出することができる。この場合、巻真１２が引き出された第２の位置のときに、数十秒の間、巻真１２が回転操作されないときには、磁気センサ１５をオフ状態にするので、これによっても磁気センサ１５による消費電力を抑えて、低消費電力化を図ることができる。
【００５９】
また、この電子腕時計では、磁気センサ１５が、腕時計ケース１内に設けられる時計モジュール４の回路基板２５に設けられ、この回路基板２５を挟んで磁石部材１４と対応した状態で配置されているので、磁気センサ１５を、回路基板２５に搭載された集積回路素子（ＩＣ、ＬＳＩ）などの時計機能に必要な各種の電子部品と並べて配置することができ、これにより高密度実装ができるので、時計モジュール４の薄型化および小型化を図ることができる。
【００６０】
この場合、回路基板２５の上下両面には、銅箔などの金属からなる配線パターン（図示せず）が設けられているが、磁気センサ１５と磁石部材１４との間に位置する回路基板２５には、配線パターンが設けられていないので、磁気センサ１５が銅箔などの金属からなる配線パターンによる影響を受けずに、磁気センサ１５で磁石部材１４の回転を高感度で精度良く検出することができる。
【００６１】
なお、上記実施形態では、耐磁板２７をその全体が枠状のほぼ平板に形成されて磁気センサ１５の全周囲を囲うように形成した場合について述べたが、これに限らず、例えば図１５に示す変形例のように、耐磁板３０をその全体がほぼ枠状の平板に形成されて磁気センサ１５の全周囲のうち、一部つまり上辺部側を除いて、磁気センサ１５の３辺側を囲うように形成しても良い。
【００６２】
この場合にも、耐磁板３０は、その両側部に取付部３０ａが斜め上側に向けてそれぞれ折り曲げられて、この折り曲げられた各取付部３０ａが回路基板２５の下面に半田２８によって取り付けられている。また、耐磁板３０には、磁気センサ１５の厚み方向における下部が下側に突出することなく挿入する開口部３０ｂが設けられている。このように耐磁板３０を構成しても、上述した実施形態とほぼ同様の作用効果がある。
【００６３】
また、上記実施形態では、巻真１２に断面四角形状の係合軸部１６を設け、磁石部材１４の中心部に巻真１２の係合軸部１６が挿入する四角形状の係合孔１８ａを設けた場合について述べたが、これに限らず、巻真１２の係合軸部１６および磁石部材１４の係合孔１８ａを、三角形、五角形、六角形などの多角形状、または楕円形状、スプライン形状などの非円形状に形成しても良い。
【００６４】
また、上記実施形態では、磁石部材１４が磁石１８と、この磁石１８を包む樹脂部１９とで構成されている場合について述べたが、これに限らず、例えば磁石１８を磁性材料からなる外装部で包んで磁石１８を保護するように構成しても良い。このように構成すれば、磁石１８を小さく形成することができるので、磁石部材１４全体の小型化を図ることができる。
【００６５】
さらに、上記実施形態では、巻真１２がその軸方向における第１の位置と第２の位置とに移動するように構成された場合について述べたが、必ずしも第１、第２の各位置のみに移動する構成である必要はなく、第２の位置から更に引き出された第３の位置にも移動するように構成しても良い。このように構成しても、磁石部材１４は磁石押え部２６によって押え付けられているので、巻真１２の軸方向への引出し操作に応じて磁石部材１４が移動することがなく、常に磁石部材１４が１つの磁気センサ１５に対応するので、この１つの磁気センサ１５で巻真１２の回転を検出することができる。
【００６６】
なおまた、上記実施形態およびその各変形例では、指針式の電子腕時計に適用した場合について述べたが、必ずしも電子腕時計である必要はなく、例えばトラベルウオッチ、目覚まし時計、置き時計、掛け時計などの各種の電子時計に適用することができるほか、必ずしも電子時計に限らず、携帯電話機やＰＤＡ（パーソナル・デジタル・アシスタント）などの電子機器にも広く適用することができる。
【符号の説明】
【００６７】
１  腕時計ケース
４  時計モジュール
５  時刻修正装置
１１  地板
１２  巻真
１３  位置規制部材
１４  磁石部材
１５  磁気センサ
１５ａ  磁気抵抗素子
１６  係合軸部
１８  磁石
１８ａ  係合孔
１９  樹脂部
２０  オシドリ
２１  オシドリばね
２２  スイッチ板
２５  回路基板
２７、３０  耐磁板
２７ａ、３０ａ  取付部
２７ｂ、３０ｂ  開口部
【図１】
2010287325.tif 000003
【図２】
2010287325.tif 000004
【図３】
2010287325.tif 000005
【図４】
2010287325.tif 000006
【図５】
2010287325.tif 000007
【図６】
2010287325.tif 000008
【図７】
2010287325.tif 000009
【図８】
2010287325.tif 000010
【図９】
2010287325.tif 000011
【図１０】
2010287325.tif 000012
【図１１】
2010287325.tif 000013
【図１２】
2010287325.tif 000014
【図１３】
2010287325.tif 000015
【図１４】
2010287325.tif 000016
【図１５】
2010287325.tif 000017